(57)【要約】【課題】厳しい寸法精度が不要であり、使用時に汚染の危険性が低いシリンジを提供する。【解決手段】バレル２とルアーテーパ部７とフランジ部８とバレル２の外周を覆い後端部にフランジ部８と係合する係合部１１を備えるプロテクタ３とアダプタ５とを備え、プロテクタ３は内部に注射針４を収納できるシリンジ１において、プロテクタ３は内周面の係合部側に突出部１２を備え、アダプタ５は胴部２４の外周面に被保持部２６と針基係合部２５とを備え、胴部２４の内径がルアーテーパ部７の外径より大きく形成され、針基係合部２５に装着された針基１９がバレル２のルアーテーパ部７に装着されてバレル２の前端部に位置決め保持され、プロテクタ３はフランジ部８を離脱させ、プロテクタ３の後方にバレル２を移動させたときに、被保持部２６が突出部１２に保持され、針基１９がルアーテーパ部７から離脱して注射針４がアダプタ５と共にプロテクタ３内に収納される。【選択図】図１
2010184112.tif 000002
【特許請求の範囲】
【請求項１】
注射針を装着可能なシリンジであって、バレルと、該バレルの軸方向を前後方向として、該バレルの前端に注射針の針基を装着自在なルアーテーパ部と、該バレルの後端に位置するフランジ部と、該バレルの外周を覆うプロテクタと、該プロテクタの後端部に位置して該フランジ部と係合する係合部と、該バレルの前端部に位置決め保持され該プロテクタの内部を前後方向に移動自在である筒状の胴部を備えるアダプタとを備え、該プロテクタが内部に該注射針を収納できる長さに設定されているものにおいて、
該プロテクタは、内周面の係合部側に該バレルの外周面に向けて内方に突出する突出部を備え、
該アダプタは、該胴部の外周面に設けられ該プロテクタの突出部に保持される被保持部と、該胴部の内周面に設けられた、該針基の外面に装着自在な針基係合部とを備えると共に、該針基係合部が係合された注射針の針基が、該バレルのルアーテーパ部に装着されることで、該バレルの前端部に位置決め保持され、
該シリンジの廃棄時に、該プロテクタの係合部から該バレルのフランジ部を離脱させ、該プロテクタの後方に該バレルを移動させたときに、該アダプタの被保持部が該プロテクタの突出部に保持され、さらに該バレルを該プロテクタの後方に移動させることで該針基が該ルアーテーパ部から離脱して該注射針が該アダプタと共に該プロテクタ内に収納されることを特徴とするシリンジ。
【請求項２】
前記プロテクタは、先端部に係止されるカバー部材を備え、
該カバー部材は、前記注射針を挿通可能な貫通孔と、該貫通孔を介してプロテクタの外側に露出する注射針を保護する筒状の保護キャップを装着する保護キャップ装着部とを備えることを特徴とする請求項１に記載のシリンジ。
【請求項３】
前記プロテクタの係合部は、円筒状のプロテクタ本体から径方向外側に延設された延出部を有し、
該延出部は、前記バレルに該プロテクタを装着した状態において、該バレルを回動させることにより前記フランジ部と係脱可能に設けられており、
該延出部は、該バレルのフランジ部と係合されているときに、該フランジ部が径方向外側に露出する形状に形成されていることを特徴とする請求項１又は請求項２に記載のシリンジ。
【請求項４】
前記プロテクタは、前記バレルの外周に該プロテクタが装着されている状態において、前記突出部が該バレルの外周面に当接していることを特徴とする請求項１乃至３のいずれか１項に記載のシリンジ。
【発明の詳細な説明】
【技術分野】
【０００１】
本発明は、使用後に注射針とバレルとを分離して廃棄することができるシリンジに関するものである。
【背景技術】
【０００２】
注射針とバレルとを備えたシリンジ（注射器）においては、使用後に注射針とバレルとを分離して廃棄することが求められる場合がある。従来は、使用者がバレルの前端に設けられたルアーテーパ部に注射針を装着して注射や採血等を行い、その後に使用者が注射針の針基を持ってルアーテーパ部から注射針を取り外すことにより分離廃棄を行っていた。
【０００３】
一方、このような分離廃棄を行うシリンジとして、プランジャが内蔵されるバレルと、該バレルの外周に装着される筒状のプロテクタと、該バレルの前端に設けられたルアーテーパ部と注射針の針基との間に介装されるアダプタと、プロテクタ内の前端とアダプタとの間に配置されるバネとを備えるものが知られている（例えば、特許文献１参照）。
【０００４】
アダプタは、プロテクタの内部で軸方向に移動自在の円筒状の胴部を備えており、該胴部は、前端部に注射針の針基が装着される針基装着部と、後端部にバレルのルアーテーパ部が装着されるバレル装着部とを備え、該針基装着部及びバレル装着部とは、該ルアーテーパ部及び針基と同一のテーパを有している。
【０００５】
また、プロテクタは、内周面の後端部に該プロテクタ内でのアダプタの移動を規制するための内方に突出する突出部を備えている。
【０００６】
このような従来のシリンジによれば、注射や採血等に用いた後、プロテクタをバレルと互いに離反する方向に移動させることで、プロテクタの突出部がアダプタの胴部外周部に当接され、さらに前記移動を続けることでバレルからアダプタが離脱する。この結果、プロテクタの内部に、アダプタと注射針とが収納される。このようにして収納されたアダプタと注射針とは、アダプタがバネによりプロテクタの突出部に付勢されるため、注射針と共にプロテクタ内に保持される。
【先行技術文献】
【特許文献】
【０００７】
【特許文献１】特開平１０−１２７７６５号公報
【発明の概要】
【発明が解決しようとする課題】
【０００８】
しかしながら、前記従来のシリンジでは、アダプタがバレルのルアーテーパ部及び注射針の針基の間に介装されるため、アダプタの針基装着部及びバレル装着部に、ＩＳＯ規格に基づくテーパを有するように製造する必要があり、該ＩＳＯ規格によれば厳しい寸法精度が求められる。また、アダプタは、針基とルアーテーパ部との間に介装されており、該アダプタの内腔を介して薬品や血液が移動する。従って、シリンジの使用時にアダプタを汚染しないよう注意を払う必要がある。
【０００９】
本発明は、かかる点に鑑み、厳しい寸法精度が不要であり、かつ、使用時に汚染の危険性が低いシリンジを提供することを目的とする。
【課題を解決するための手段】
【００１０】
かかる目的を達成するために、本発明のシリンジは、注射針を装着可能なシリンジであって、バレルと、該バレルの軸方向を前後方向として、該バレルの前端に注射針の針基を装着自在なルアーテーパ部と、該バレルの後端に位置するフランジ部と、該バレルの外周を覆うプロテクタと、該プロテクタの後端部に位置して該フランジ部と係合する係合部と、該バレルの前端部に位置決め保持され該プロテクタの内部を前後方向に移動自在である筒状の胴部を備えるアダプタとを備え、該プロテクタが内部に該注射針を収納できる長さに設定されているものにおいて、該プロテクタは、内周面の係合部側に該バレルの外周面に向けて内方に突出する突出部を備え、該アダプタは、該胴部の外周面に設けられ該プロテクタの突出部に保持される被保持部と、該胴部の内周面に設けられた、該針基の外面に装着自在な針基係合部とを備えると共に、該針基係合部が係合された注射針の針基が、該バレルのルアーテーパ部に装着されることで、該バレルの前端部に位置決め保持され、該シリンジの廃棄時に、該プロテクタの係合部から該バレルのフランジ部を離脱させ、該プロテクタの後方に該バレルを移動させたときに、該アダプタの被保持部が該プロテクタの突出部に保持され、さらに該バレルを該プロテクタの後方に移動させることで該針基が該ルアーテーパ部から離脱して該注射針が該アダプタと共に該プロテクタ内に収納されることを特徴とする。
【００１１】
本発明のシリンジでは、注射針は、針基の外面にアダプタが装着された状態でルアーテーパ部に装着される。即ち、本発明のシリンジにおいて、アダプタは、ルアーテーパ部及び針基のテーパ部に装着される構造を有さないため、製造時の厳しい寸法精度が不要となる。また、本発明のシリンジは、使用時に薬液や血液がアダプタに接触することがないため、無菌を維持する必要のある部位が少なく、汚染の危険性を低下させることができる。
【００１２】
また、本発明のシリンジは、使用後、使用者がプロテクタをバレルに対して前方に移動させると、アダプタはプロテクタに対して軸方向に移動自在でありバレルの前端部に位置決め保持されているため、アダプタがバレルの前端部分に保持されたままプロテクタのみがバレルに対して前方に移動する。そして、プロテクタの内周面の係合部側に設けられた突出部がアダプタの凹部と係合する。
【００１３】
この状態からさらにプロテクタをバレルの前方に移動させると、アダプタは針基に装着されているため、該針基が該アダプタに押し出されることで、ルアーテーパ部から離脱する。これにより、バレルから注射針が取り外され、アダプタと共にプロテクタに収容される。
【００１４】
このように、本発明のシリンジでは、使用後はバレルと注射針とを分離して廃棄することができる。尚、分離された注射針は、アダプタを介して前記プロテクタと係合されているため、バネを用いることなく、注射針が不用意にプロテクタから外れることを防ぐことができる。
【００１５】
また、本発明のシリンジにおいて、前記プロテクタは、先端部に係止されるカバー部材を備え、該カバー部材は、前記注射針を挿通可能な貫通孔と、該貫通孔を介して該プロテクタの外側に露出する注射針を保護する筒状の保護キャップを装着する保護キャップ装着部とを備えることが好ましい。上記構成によれば、プロテクタの先端部にカバー部材が係止されているため、プロテクタの先端における開口を小さくすることができる。従って、プロテクタの先端から使用者の指が挿入されることによって、注射針が誤刺されることを防止することができる。また、保護キャップが、注射針と直接接続されていないカバー部材に取り付けられているため、保護キャップを取り外す等の操作に伴ってバレルのルアーテーパ部から注射針の針基が外れてしまう虞がない。
【００１６】
また、本発明のシリンジにおいて、前記プロテクタの係合部は、円筒状のプロテクタ本体から径方向外側に延設された延出部を有し、該延出部は、前記バレルに該プロテクタを装着した状態において、該バレルを回動させることにより前記フランジ部と係脱可能に設けられており、該延出部は、該バレルのフランジ部と係合されているときに、該フランジ部が径方向外側に露出する形状に形成されていることが好ましい。このようにすることにより、使用後にバレルと注射針とを分離して廃棄する際に、使用者は一方の手でプロテクタを持ち、他方の手でバレルのフランジ部を把持して回動させて、前記プロテクタの係合部から該バレルのフランジ部を容易に離脱させることができる。尚、通常の使用時には、フランジ部はプロテクタの係合部により係合されており、フランジ部を把持してバレルを回動させるような操作が行われることがないため、フランジ部とプロテクタの係合部との係合が不用意に解除されることはない。
【００１７】
また、本発明のシリンジにおいて、前記プロテクタは、前記バレルの外周に該プロテクタが装着されている状態において、前記突出部が該バレルの外周面に当接するようにすることができる。このようにすることにより、バレルの外周にプロテクタが装着されている状態で、バレルとプロテクタとががたつくことを防止することができる。
【図面の簡単な説明】
【００１８】
【図１】第１の実施形態のシリンジについて注射針が装着される前の状態を示す一部断面図。
【図２】第１の実施形態のシリンジの主要な部品の構成を示す説明図。
【図３】プロテクタとフランジ部との係合の仕方を示すための説明図。
【図４】第１の実施形態のシリンジに注射針を装着した状態を示す説明図。
【図５】第１の実施形態のシリンジの使用後に注射針を廃棄する際の途中の状態を示す説明図。
【図６】第１の実施形態のシリンジにおいて廃棄時にバレルと注射針とを分離した状態を示す説明図。
【図７】第２の実施形態のシリンジについて注射針が装着される前の状態を示す一部断面図。
【図８】第２の実施形態のシリンジを示すための説明図。
【発明を実施するための形態】
【００１９】
本発明の第１の実施形態のシリンジ１は、図１に示すように、バレル２と、バレル２の外側を覆うプロテクタ３と、バレル２の前端部に取り付けられる注射針４と、注射針４に装着されるアダプタ５とを備えている。尚、図１，３，４，５，７においては、プロテクタ３、アダプタ５、後述するカバー部材１５、注射針４の保護キャップ２２を縦半分に破断した図としている。
【００２０】
バレル２は、図１に示すように一般に広く用いられている汎用品を用いており、バレル本体６と、バレル本体６の前端部に設けられたルアーテーパ部７と、バレル本体６の後端部に設けられたフランジ部８とからなる。これらは透明の合成樹脂により一体成形されている。バレル本体６は、円筒形状であり、その内周及び外周は前後方向において同径である。ルアーテーパ部７は、円筒形状であって、その外周面は前方に向けて徐々に縮径している。また、バレル２の内部には、バレル本体６内を前後方向に摺動自在のプランジャ９が装着されている。
【００２１】
プロテクタ３は、透明の合成樹脂により形成されており、図２（ａ）に示すように、プロテクタ本体１０と、延出部１１とからなる。
【００２２】
プロテクタ本体１０は、略円筒状でその長さはバレル本体６と略同一であり、その内径はバレル本体６の外径よりもやや大径となっている。プロテクタ本体１０は、図１に示すように、延出部１１側の内周面にバレル本体６の外周面に向けて内方に突出して設けられた周状の第１突出部１２と、バレル本体６の外周面の前端部に径方向外側に向けて突出して設けられた掛止部１３とを備えている。掛止部１３には、貫通孔１４を備えるリング状のカバー部材１５が掛止される。
【００２３】
延出部１１は、図２（ａ）に示すように、プロテクタ本体１０の後端部から径方向外側に延設されており、その外側端部に、相対向する１対の爪部１６，１６がプロテクタ本体１０の後部方向に向けて立設されている。相対向する1対の爪部１６，１６は、フランジ部８を短辺側の側面から挟む形で立設されており、各爪部１６，１６はそれぞれ中心軸方向に向かって同一方向の側面に切り欠き部１７，１７を有している。
【００２４】
爪部１６，１６は、図３に示すように、プロテクタ３に装着されたバレル２を回転させることで、切り欠き部１７，１７内にフランジ部８を嵌め込み、バレル２を固定する。このように、フランジ部がバレル２に固定されているときには、延出部１１及び爪部１６，１６は、フランジ部８を爪部１６，１６から径方向外側に露出させる形状に形成されている。また、延出部１１は、爪部１６，１６が設けられている側面において面の切り欠かれていない側の爪部１６，１６より内側の端部に第１突起部１８，１８を備えており、第１突起部１８，１８により固定されているバレル２の回転が規制される。
【００２５】
注射針４は、一般に広く用いられているものであり、図１に示すように、合成樹脂製の針基１９と、針基１９の前方に延設されたステンレススチール製の針管２０とを備えている。針基１９は、前方に向けて縮径された略円筒状の部材であり、その内周面がバレル２のルアーテーパ部７に嵌合される。また、針基１９の後端部には径方向外側に向けて突出する針基鍔部２１が設けられている。また、この注射針４には、針管２０の保護及び誤刺防止のための保護キャップ２２が装着されている。尚、プロテクタ３の前端部に掛止されるカバー部材１５は、貫通孔１４の内径が注射針４の針基１９及び保護キャップ２２の外径よりやや大径となっている。
【００２６】
アダプタ５は、図２（ｂ）に示すように、貫通孔２３を備える筒状の胴部２４を備えており、貫通孔２３の内径がルアーテーパ部７の外径より大きく設定されている。胴部２４は、内周面に設けられた、径方向外側に向かう周状の第１凹部２５と、外周面に設けられた、径方向内側に向かう周状の第２凹部２６とが形成されている。また、胴部２４は、第１凹部２５より前方部分が「Ｃ字状」となるように、針基１９の外径の幅で切り欠かれ、切り欠き部２７及び切り欠き面２８が形成されている。切り欠き面２８には、第２突起部２９が設けられている。注射針４の針基１９は、切り欠き部２７に挿入されることで、針基鍔部２１が第１凹部２５に係合され、第２突起部２９により、針基１９の位置ずれが規制される。
【００２７】
次に、本発明の第１の実施形態のシリンジ１の使用方法を、図１、図３及び図４を参照して説明する。
【００２８】
本実施形態のシリンジ１は、以下のように組み立てられた状態で供給される。先ず、図１に示すように、保護キャップ２２が装着された状態の注射針４の針基鍔部２１にアダプタ５の第１凹部２５を係合し、注射針４とアダプタ５とが同心軸となるようにする。このとき、注射針４の針基１９は、アダプタ５の第２突起部２９により、互いの位置ずれが規制されているため、注射針４とアダプタ５との係合が、不用意に解除されることはない。
【００２９】
次に、プロテクタ３が装着されたバレル２のルアーテーパ部７に注射針４の針基１９を取り付ける。その後、リング状のカバー部材１５を、その貫通孔１４に針基１９に装着された保護キャップ２２を通過させるようにして、プロテクタ３の掛止部１３に掛止させる。このときプロテクタ３は、図２（ａ）、図３に示すように、爪部１６，１６の切り欠き部１７，１７がバレル２のフランジ部８と係合しており、さらに、第１突起部１８，１８によりフランジ部８の回転が規制されているため、不用意にバレル２から外れることはない。
【００３０】
使用者は、この状態から、図４に示すように、注射針４に掛止されている保護キャップ２２を取り外すことで、通常のシリンジとして使用可能となる。
【００３１】
次に、本実施形態のシリンジ１を使用後に廃棄する方法について図３乃至図６を参照して説明する。シリンジ１の使用後は、図４に示す状態となっている。この状態から使用者は、図３に示すように、片方の手でバレル２のフランジ部８を持ち、もう片方の手でプロテクタ本体１０を持ち、先ず、フランジ部８が第１突起部１８，１８に乗り上げるまで回転させて、前記係合を解除する。次に、バレル２とプロテクタ３とを互いに離反する方向に移動させる。
【００３２】
このとき、アダプタ５は、バレル２の前端部に針基１９を介して保持された状態のままであり、プロテクタ３のみがバレル２に対して前方に押し出される。そして、図５に示すように、プロテクタ本体１０の後端部側に設けられた周状の第１突出部１２にアダプタ５の第２凹部２６が係合すると、注射針４とアダプタ５とがプロテクタ３内に収納され、注射針４の針管２０の周囲がプロテクタ３によって覆われる。
【００３３】
この状態からさらにプロテクタ３を前方に移動させると、図６に示すように、アダプタ５は注射針４と係合しているため、注射針４が該アダプタに押し出され、ルアーテーパ部７から離脱する。注射針４は、ルアーテーパ部７から離脱すると針基１９の針基鍔部２１がアダプタの第１凹部２５に保持されるので、アダプタ５から離脱することはない。このため、注射針４はアダプタ５と共にプロテクタ３に保持される。
【００３４】
このように、本実施形態のシリンジ１によれば、使用時には従来のシリンジ及び注射針と同様に、シリンジ１から保護キャップ２２を取り外すだけでよい。また、使用後は、バレル２をプロテクタ３に対して回転させることで爪部１６，１６による係合から解除する。このとき、バレル２のフランジ部８は、爪部１６，１６から径方向外側に露出する形状に形成されているため、バレル２をプロテクタ３に対して容易に回転させられる。その後、バレル２からプロテクタ３を押し出すだけでバレル２と注射針４とを分離して廃棄することができる。また、廃棄時にはプロテクタ３内に注射針４が収容されて針管２０の前端部がプロテクタ３によって覆われ、そして、カバー部材１５によりプロテクタ３の前端から指が挿入されることを防ぐことができるため、バレル２から注射針４を分離した後に針管２０によって誤刺等がなされる虞がない。
【００３５】
尚、本実施形態のシリンジ１では、プロテクタ３の第１突出部１２とアダプタ５の第２凹部２６とを全周にわたって設けているが、これに限らず、一部にだけ設けるようにしてもよい。
【００３６】
次に、本発明の第２の実施形態について説明する。第２の実施形態のシリンジ３１は、図７及び図８（ａ）及び（ｂ）に示すように、第１の実施形態のシリンジ１のプロテクタ３に代えてプロテクタ３２を備え、第１の実施形態のシリンジ１のカバー部材１５に代えて、カバー部材３３を備え、第１の実施形態のシリンジ１の保護キャップ２２に代えて、保護キャップ３４を備えている。その他の構成は、第１の実施形態のシリンジ１と全く同一である。
【００３７】
プロテクタ３２は、延出部１１側に延出部１１より外側に突出するフランジ部３５を備える。また、プロテクタ３２は、第１の実施形態のシリンジ１の掛止部１３に代えて、プロテクタ本体１０の前端に設けられたスリット部３６，３６を備える。さらに、プロテクタ３２は、第１の実施形態のシリンジ１の第１突起部１８，１８に代えて、延出部１１における爪部１６，１６が設けられている側面において、切り欠き部１７，１７が設けられている側の端部に設けられた第１突起部３７，３７を備えている。そのほかの構成は、第１の実施形態のシリンジ１のプロテクタ３と全く同一である。
【００３８】
また、カバー部材３３は、図８（ｂ）に示すように、第２突出部３８，３８と、貫通孔３９と、保護キャップ装着部４０とからなる。
【００３９】
第２突出部３８，３８は、スリット部３６，３６に対応する位置の外周に径方向外側に突出して形成されている。貫通孔３９は、内径が注射針４の針基１９の外径よりやや大径となっており、カバー部材３３の外径はプロテクタ本体１０の内径よりやや小径となっている。
【００４０】
保護キャップ装着部４０は、円筒状に突出して形成されており、保護キャップ３４が外側から嵌め合わされることにより、貫通孔３９を介してプロテクタ３２の外側に露出する注射針４を保護する。保護キャップ３４は、内径が保護キャップ装着部４０の外径と同一である。カバー部材３３は、第２突出部３８，３８がスリット部３６，３６と係合するようにプロテクタ本体１０の内側前端部に嵌め込まれて装着される。
【００４１】
次に、本発明の第２の実施形態のシリンジ３１の使用方法を、図７を参照して説明する。
【００４２】
本実施形態のシリンジ３１は、以下のように組み立てられた状態で供給される。先ず、図７に示すように、注射針４の針基鍔部２１にアダプタ５の第１凹部２５を係合し、注射針４とアダプタ５とが同心軸となるようにする。このとき、注射針４の針基１９は、アダプタ５の第２突起部２９により、互いの位置ずれが規制されているため、注射針４とアダプタ５との係合が、不用意に解除されることはない。
【００４３】
次に、プロテクタ３２が装着されたバレル２のルアーテーパ部７に注射針４の針基１９を取り付ける。その後、カバー部材３３を、その貫通孔３９に針基１９及び針管２０を通過させるようにして、第２突出部３８，３８をスリット部３６，３６に掛止させ、プロテクタ３２に固定する。このときプロテクタ３２は、爪部１６，１６の切り欠き部１７，１７がバレル２のフランジ部８と係合しており、さらに、第１突起部３７，３７によりフランジ部８の回転が規制されているため、不用意にバレル２から外れることはない。
【００４４】
次に、保護キャップ３４をカバー部材３３の保護キャップ装着部４０に外側から嵌め合わせることにより装着し、注射針を保護する。
【００４５】
使用者は、この状態から、カバー部材３３に装着されている保護キャップ３４を取り外すことで、通常のシリンジとして使用可能となる。
【００４６】
プロテクタ３２は、外側に大きく突出するフランジ部３５が設けられているので、使用時に持ちやすくなり、フランジ部８と爪部１６との係合を意識することなく、シリンジ３１を使用することができる。また、カバー部材３３を、プロテクタ３２の内側に嵌め込むことで、プロテクタ３２の先端部において外部に突出するところがないので、使用時の不意の接触や廃棄後における他の廃棄物との接触によるカバー部材３５の脱落を防ぐことができる。さらに、保護キャップ３４は、針基１９に装着されるのではなく、プロテクタ本体１０に掛止されているカバー部材３３に装着される。このようにすることにより、保護キャップ３４を取り外す際などに、保護キャップ３４が針基１９に干渉することがないので、針基１９がルアーテーパ部７から脱落することを防ぐことができる。
【００４７】
尚、シリンジ３１は、プロテクタ３２を用いた場合においても、プロテクタ３を用いた場合と同様に廃棄される。
【符号の説明】
【００４８】
１，３１…シリンジ、２…バレル、３，３２…プロテクタ、４…注射針、５，３３…アダプタ、７…ルアーテーパ部、８…フランジ部、１１…延出部、１２…第１突出部、１５，３３…カバー部材、１６…爪部（係合部）、１９…針基、２２，３４…保護キャップ、２３…胴部、２５…第１凹部（針基係合部）、２６…第２凹部（被保持部）。
【図１】
2010184112.tif 000003
【図２】
2010184112.tif 000004
【図３】
2010184112.tif 000005
【図４】
2010184112.tif 000006
【図５】
2010184112.tif 000007
【図６】
2010184112.tif 000008
【図７】
2010184112.tif 000009
【図８】
2010184112.tif 000010